(57)【特許請求の範囲】
【請求項１】
少なくとも一対のコントローラーを含み、冗長性を担保することで情報の滅失が起こらないように構成された記憶装置であって、
前記一対のコントローラーと、それらを駆動する電源と、
前記一対のコントローラー及び前記電源を冷却するために空気を送出する送風機構と、
前記一対のコントローラー、前記電源、及び前記送風機構を収める本体部と、を備え、
前記本体部は、前記一対のコントローラーをそれぞれ独立して収容する一対の収容部分を有し、
前記一対の収容部分それぞれには独立した遮蔽扉が設けられ、一方の前記コントローラーが一方の前記収容部分から取り外されると、その収容部分に設けられた前記遮蔽扉が閉じられ外部から空気が流入することを抑制し、前記送風機構から送出される空気のみが他方の前記コントローラー及び前記電源に送り込まれるように構成され、
前記遮蔽扉は、一端が軸支され、その一端を中心として回動することで、前記コントローラーを受け入れることができるように構成されており、
前記コントローラーが前記遮蔽扉を押し開けながら前記収容部分に押し込まれる際に、その押し込み力を低減する押込み力低減手段が形成され、
前記押込み力低減手段は、前記遮蔽扉の外表面に形成され、前記遮蔽扉と前記コントローラーとが当接することで、その押し込み力を低減するように構成され、
前記押込み力低減手段は、前記遮蔽扉の外表面且つ一端側に形成された凹部を含み、
前記凹部は、前記遮蔽扉の一端側から他端側に向かい且つ前記遮蔽扉の外表面から裏面に向けて緩やかに傾斜する第一傾斜部と、当該第一傾斜部に繋げて設けられ、前記遮蔽扉の外表面に略平行に形成されてなる平行部と、前記平行部に繋げて設けられ、前記遮蔽扉の一端側から他端側に向かい且つ前記遮蔽扉の裏面から外表面に向けて緩やかに傾斜する第二傾斜部と、を有することを特徴とする記憶装置。
【請求項２】
前記押込み力低減手段は、前記コントローラーに形成された係合部を含み、
前記係合部は、前記第一傾斜部から前記平行部を経由して前記第二傾斜部まで前記凹部
に沿って摺動することで、前記遮蔽扉を押し開けることを特徴とする請求項１に記載の記
憶装置。
【発明の詳細な説明】
【技術分野】
【０００１】
本発明は、少なくとも一対のコントローラーを含み、冗長性を担保することで情報の滅失が起こらないように構成された記憶装置に関する。
【背景技術】
【０００２】
少なくとも一対のコントローラーを含み、冗長性を担保することで情報の滅失が起こらないように構成された記憶装置として、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）装置が知られている。ＲＡＩＤ装置は、筐体の内部に、一対のコントローラーと、それらを駆動する電源と、一対のコントローラー及び電源を冷却するために空気を送出するファンと、が収容されている。このファンは、筐体内部に強制的に空気流を形成することで、コントローラーや電源を効率よく確実に冷却するように構成されている。
【０００３】
このような記憶装置では、コントローラーの一方を動作させながら、コントローラーの他方を交換することが行われている。この保守交換時に冷却性能を低下させないように、冷却用強制対流を逆流させないための逆流防止用シャッターが搭載されている場合がある。一般的に、このような記憶装置にシャッターを設ける場合、その構造を簡便なものとするため、一端側が軸支され、他端側が回動するような構成が採用される（例えば、下記特許文献１参照）。
【先行技術文献】
【特許文献】
【０００４】
【特許文献１】特開２０００−３５８６号公報
【発明の概要】
【発明が解決しようとする課題】
【０００５】
上述した従来の技術のように、一端側が軸支され、他端側が回動するようなシャッターを構成した場合、略矩形のコントローラーを収容部分に押し込んでいくと、軸支されている一端側を押し込まざるを得なくなる。具体的には、収容部にコントローラーを収容させようとして、シャッターにコントローラーを当接させると、シャッターとコントローラーとが最初に当接した部分が押し込まれる。その当接した部分がいずれの箇所であるにせよ、軸支された一端側を中心としてシャッターが回動すると、一端側はシャッター側に位置し、他端側はシャッター側からは離れていくことになる。従って、収容部にコントローラーを収容しようとしてシャッターを押し込めば、必然的に軸支された一端側に近接した部位を押し込むことになる。
【０００６】
このように、従来のシャッター形状では、コントローラー挿入時のシャッターを開く動作の際にシャッターが回動する中心の近傍でコントローラーがシャッターを押さなければならず、発生する回転モーメントが小さくなり、結果として、大きな力でコントローラーを挿入しなければならなかった。一方で、冗長性を持たせるためにコントローラーが一対搭載されているような場合、一方を動作させながら一方を短時間でスムーズに保守交換をする必要がある。また、シャッターは空気の逆流を防止し、ファンによる良好な強制対流を継続する役目を果たすものであるから、必要不可欠なものである。更に、コストや製造上の観点から考察すれば、シャッターを開閉するためのモーターを設けるようなことは避けたいものである。
【０００７】
本発明はこのような課題に鑑みてなされたものであり、その目的は、少なくとも一対のコントローラーを含み、冗長性を担保することで情報の滅失が起こらないように構成された記憶装置であって、簡易な構成でコントローラーを収容する部分における遮蔽扉の開閉容易性を確保できる記憶装置を提供することにある。
【課題を解決するための手段】
【０００８】
上記課題を解決するために本発明に係る記憶装置は、少なくとも一対のコントローラーを含み、冗長性を担保することで情報の滅失が起こらないように構成された記憶装置であって、前記一対のコントローラーと、それらを駆動する電源と、前記一対のコントローラー及び前記電源を冷却するために空気を送出する送風機構と、前記一対のコントローラー、前記電源、及び前記送風機構を収める本体部と、を備え、前記本体部は、前記一対のコントローラーをそれぞれ独立して収容する一対の収容部分を有し、前記一対の収容部分それぞれには独立した遮蔽扉が設けられ、一方の前記コントローラーが一方の前記収容部分から取り外されると、その収容部分に設けられた前記遮蔽扉が閉じられ外部から空気が流入することを抑制し、前記送風機構から送出される空気のみが他方の前記コントローラー及び前記電源に送り込まれるように構成され、前記遮蔽扉は、一端が軸支され、その一端を中心として回動することで、前記コントローラーを受け入れることができるように構成されており、前記コントローラーが前記遮蔽扉を押し開けながら前記収容部分に押し込まれる際に、その押し込み力を低減する押込み力低減手段が形成され、前記押込み力低減手段は、前記遮蔽扉の外表面に形成され、前記遮蔽扉と前記コントローラーとが当接することで、その押し込み力を低減するように構成され、前記押込み力低減手段は、前記遮蔽扉の外表面且つ一端側に形成された凹部を含み、前記凹部は、前記遮蔽扉の一端側から他端側に向かい且つ前記遮蔽扉の外表面から裏面に向けて緩やかに傾斜する第一傾斜部と、当該第一傾斜部に繋げて設けられ、前記遮蔽扉の外表面に略平行に形成されてなる平行部と、前記平行部に繋げて設けられ、前記遮蔽扉の一端側から他端側に向かい且つ前記遮蔽扉の裏面から外表面に向けて緩やかに傾斜する第二傾斜部と、を有する。
【０００９】
本発明では、コントローラーが遮蔽扉を押し開けながら収容部分に押し込まれる際に、その押し込み力を低減する押込み力低減手段が形成されているので、簡易な構成でコントローラーを収容する部分における遮蔽扉の開閉容易性を確保することできる。また、遮蔽扉とコントローラーとが当接することで、その押し込み力を低減するように、押込み力低減手段が遮蔽扉の外表面に形成されているので、遮蔽扉とコントローラーとが当接するという簡易な構成で、遮蔽扉の開閉容易性を確保することできる。また、遮蔽扉の外表面且つ一端側に凹部を形成することで、コントローラーと凹部とを確実に当接させることができる。また、凹部にコントローラーが当接することで、遮蔽扉を閉じる動作において、遮蔽扉とコントローラーとの接触距離を長くすることができ、軸支された一端側と当接部分との距離を引き離すことができるので、確実に遮蔽扉を動かす力を低減させ、遮蔽扉の開閉容易性を確保することできる。更に、凹部が、遮蔽扉の一端側から他端側に向かい且つ遮蔽扉の外表面から裏面に向けて緩やかに傾斜する第一傾斜部を有しているので、最初に第一傾斜部にコントローラーを当接させ、滑らかに凹部の奥側へと当接部位を移動させていくことができる。更に凹部は、第一傾斜部に繋げて設けられ、遮蔽扉の外表面に略平行に形成されてなる平行部を有しているので、この平行部の長さを調整することで、遮蔽扉の操作力を調整することができる。更に凹部は、平行部に繋げて設けられ、遮蔽扉の一端側から他端側に向かい且つ遮蔽扉の裏面から外表面に向けて緩やかに傾斜する第二傾斜部を有しているので、凹部に当接しているコントローラーを遮蔽扉の外表面に滑らかに移動させ、遮蔽扉を所定位置まで確実に開かせることができる。
【００１３】
また本発明に係る記憶装置では、前記押込み力低減手段は、前記コントローラーに形成された係合部を含み、前記係合部は、前記第一傾斜部から前記平行部を経由して前記第二傾斜部まで前記凹部に沿って摺動することで、前記遮蔽扉を押し開けることも好ましい。この好ましい態様では、コントローラーに係合部を設けることで、コントローラーと凹部との接触を確実なものとすることができ、凹部の形態と相まって確実に遮蔽扉を動かす力を低減させ、遮蔽扉の開閉容易性を確保することできる。
【発明の効果】
【００１４】
本発明によれば、少なくとも一対のコントローラーを含み、冗長性を担保することで情報の滅失が起こらないように構成された記憶装置であって、簡易な構成でコントローラーを収容する部分における遮蔽扉の開閉容易性を確保できる記憶装置を提供することができる。
【図面の簡単な説明】
【００１５】
【図１】本発明の実施形態に係る記憶装置を模式的に示す概略斜視図である。
【図２】図１において本体部の一部を取り去り、遮蔽扉の開閉状態を示した斜視図である。
【図３】図１に示す記憶装置の縦断面を模式的に示す断面図である。
【図４】図１に示す記憶装置の横断面を模式的に示す断面図である。
【図５】遮蔽扉が無い場合を説明するための断面図である。
【図６】図１において本体部の一部を取り去り、遮蔽扉にコントローラーを押し込む状態を示した斜視図である。
【図７】図６の矢印方向からみた部分的な概略平面図である。
【図８】遮蔽扉に設けられた凹部を示す部分的な概略斜視図である。
【図９】遮蔽扉をコントローラーによって押し込んで行く状況を示す図である。
【図１０】凹部が無い場合の遮蔽扉を示す図である。
【発明を実施するための形態】
【００１６】
以下、添付図面を参照しながら本発明の実施の形態について説明する。説明の理解を容易にするため、各図面において同一の構成要素に対しては可能な限り同一の符号を付して、重複する説明は省略する。
【００１７】
本発明の実施形態に係る記憶装置について図１を参照しながら説明する。図１は、本発明の実施形態に係る記憶装置ＲＤを模式的に示す概略斜視図である。記憶装置ＲＤは、一対のコントローラー３０，３０（マザーボード）を含み、冗長性を担保することで情報の滅失が起こらないように構成されているＲＡＩＤ装置である。
【００１８】
記憶装置ＲＤは、一対のコントローラー３０と、それらを駆動する電源２０と、本体部１０とを備えている。図１には明示しないが、コントローラー３０を冷却するために空気を送出する送風機構としてのファンが、本体部１０の内部に配置されている。本体部１０は、一対のコントローラー３０と、電源２０と、ファンとを収める部分である。本体部１０には、一対のコントローラー３０をそれぞれ独立して収容する一対の収容部１２が設けられている。
【００１９】
図２は、図１において本体部１０の一部を取り去り、遮蔽扉１４の開閉状態を示した斜視図である。図２に示すように、一対の収容部１２それぞれには独立した遮蔽扉１４が設けられている。遮蔽扉１４は、閉じた位置１４ａと開いた位置１４ｂとの間を揺動するように設けられている。
【００２０】
図３は、図１に示す記憶装置ＲＤの縦断面を模式的に示す断面図である。記憶装置ＲＤのフロント側１０１には、コントローラー３０を冷却するために空気を送出する送風機構としてのファンが設けられている。ファンを駆動することで、冷却空気がフロント側１０１からリア側１０２へ向けて流れるように構成されている。
【００２１】
図４は、図１に示す記憶装置ＲＤの横断面を模式的に示す断面図である。図４に示すように、一方のコントローラー３０を取り外すと、遮蔽扉１４が閉じるように構成されている。遮蔽扉１４が閉じることによって、コントローラー３０が取り外された側に流れる空気は、電源２０側に流れ、全体としてフロント側１０１からリア側１０２への空気の流れが保たれる。一方、遮蔽扉１４が設けられていない場合は、図５に示すように、リア側１０２の開口から空気が逆流し、フロント側１０１から流れ込む空気の流れを阻害する。従って、遮蔽扉１４は、コントローラー３０が挿入されていないときにはリア側１０２の開口を閉じると共に、コントローラー３０が挿入される場合には円滑に開くことが求められる。
【００２２】
図６は、図１において本体部１０の一部を取り去り、遮蔽扉１４にコントローラー３０を押し込む状態を示した斜視図である。図７は、図６の矢印方向からみた部分的な概略平面図である。図８は、遮蔽扉１４に設けられた凹部１４１を示す部分的な概略斜視図である。図７及び図８に示すように、遮蔽扉１４には、コントローラー３０が遮蔽扉１４を押し開けながら収容部１２に押し込まれる際に、その押し込み力を低減する押込み力低減手段としての凹部１４１が設けられている。
【００２３】
遮蔽扉１４は、軸１４２によって一端側が軸支されており、その一端側を中心として他端側が回動するように構成されている。軸１４２を中心とした回動によって、遮蔽扉１４は、閉じた位置１４ａから開いた位置１４ｂまで移動するように構成されている。
【００２４】
凹部１４１は、遮蔽扉１４の外表面１４ｆから裏面１４ｒに向けて後退するように形成されている。凹部１４１は、遮蔽扉１４の一端側（軸１４２側）から他端側に向かい且つ遮蔽扉１４の外表面１４ｆから裏面１４ｒに向けて緩やかに傾斜する第一傾斜部１４１ｍと、第一傾斜部１４１ｍに繋げて設けられ、遮蔽扉１４の外表面１４ｆに略平行に形成されてなる平行部１４１ｎと、平行部１４１ｎに繋げて設けられ、遮蔽扉１４の一端側から他端側に向かい且つ遮蔽扉１４の裏面１４ｒから外表面１４ｆに向けて緩やかに傾斜する第二傾斜部１４１ｐと、を有する。
【００２５】
コントローラー３０が遮蔽扉１４に当接する後端側には、係合部３０１と突起部３０２とが設けられている。係合部３０１は、遮蔽扉１４の軸１４２側に設けられている突起である。
【００２６】
図９は、遮蔽扉１４をコントローラー３０によって押し込んで行く状況を示す図である。図９の（Ａ）に示すように、コントローラー３０が遮蔽扉１４を押し込んで行くと、係合部３０１が凹部１４１の第一傾斜部１４１ｍ（図７参照）に当接し、係合部３０１は第一傾斜部１４１ｍに当接して摺動しながら押し込んでいく（図９の（Ｂ）及び（Ｃ）参照）。係合部３０１が第一傾斜部１４１ｍから平行部１４１ｎに渡って摺動すると、遮蔽扉１４は徐々に奥側に押し込まれる。図９の（Ｄ）に示すように、係合部３０１が第二傾斜部１４１ｐに至っても、遮蔽扉１４は開いた位置１４ｂ（図７参照）まで移動しないので、係合部３０１と凹部１４１との当接する総延長が十分長くなり、図１０に示す従来の遮蔽扉２４のように軸２４１に近い部分を単純に押し込む場合に比較して、その押込み力は極めて小さくすることができる。尚、図１０は、凹部が無い場合の遮蔽扉２４を示す図である。遮蔽扉２４は、一端側に設けられた軸２４１を中心に回動し、閉じた位置２４ａから開いた位置２４ｂまで移動するものである。
【００２７】
図９の（Ｅ）に示すように、コントローラー３０が十分に押し込まれると、コントローラー３０の側部及び係合部３０１が外表面１４ｆ（図７参照）に当接し、遮蔽扉１４が開いた位置１４ｂまで開かれる（図７参照）。このように、凹部１４１が、遮蔽扉１４の一端側から他端側に向かい且つ遮蔽扉１４の外表面１４ｆから裏面１４ｒに向けて緩やかに傾斜する第一傾斜部１４１ｍを有しているので、最初に第一傾斜部１４１ｍにコントローラー３０の係合部３０１を当接させ、滑らかに凹部１４１の奥側へと当接部位を移動させていくことができる。更に凹部１４１は、第一傾斜部１４１ｍに繋げて設けられ、遮蔽扉１４の外表面１４ｆに略平行に形成されてなる平行部１４１ｎを有しているので、この平行部１４１ｎの長さを調整することで、遮蔽扉１４の操作力を調整することができる。具体的には、平行部１４１ｎを長くすれば、係合部３０１との当接長さを十分に確保し、押込み力をより低減することができる。更に凹部１４１は、平行部１４１ｎに繋げて設けられ、遮蔽扉１４の一端側から他端側に向かい且つ遮蔽扉１４の裏面１４ｒから外表面１４ｆに向けて緩やかに傾斜する第二傾斜部１４１ｐを有しているので、凹部１４１に当接しているコントローラー３０の係合部３０１を遮蔽扉１４の外表面１４ｆに滑らかに移動させ、遮蔽扉１４を所定位置である開いた位置１４ｂまで確実に開かせることができる。
【００２８】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【００２９】
上記の実施形態の一部または全部は、以下の付記のようにも記載され得るが、本発明を以下に限定するものではない。
【００３０】
（付記１）  少なくとも一対のコントローラーを含み、冗長性を担保することで情報の滅失が起こらないように構成された記憶装置であって、前記一対のコントローラーと、それらを駆動する電源と、前記一対のコントローラー及び前記電源を冷却するために空気を送出する送風機構と、前記一対のコントローラー、前記電源、及び前記送風機構を収める本体部と、を備え、前記本体部は、前記一対のコントローラーをそれぞれ独立して収容する一対の収容部分を有し、前記一対の収容部分それぞれには独立した遮蔽扉が設けられ、一方の前記コントローラーが一方の前記収容部分から取り外されると、その収容部分に設けられた前記遮蔽扉が閉じられ外部から空気が流入することを抑制し、前記送風機構から送出される空気のみが他方の前記コントローラー及び前記電源に送り込まれるように構成され、前記遮蔽扉は、一端が軸支され、その一端を中心として他端側が回動することで、前記コントローラーを受け入れることができるように構成されており、前記コントローラーが前記遮蔽扉を押し開けながら前記収容部分に押し込まれる際に、その押し込み力を低減する押込み力低減手段が形成されていることを特徴とする記憶装置。
【００３１】
（付記２）  前記押込み力低減手段は、前記遮蔽扉の外表面に形成され、前記遮蔽扉と前記コントローラーとが当接することで、その押し込み力を低減するように構成されていることを特徴とする付記１に記載の記憶装置。
【００３２】
（付記３）  前記押込み力低減手段は、前記遮蔽扉の外表面且つ一端側に形成された凹部を含むことを特徴とする付記２に記載の記憶装置。
【００３３】
（付記４）  前記凹部は、前記遮蔽扉の一端側から他端側に向かい且つ前記遮蔽扉の外表面から裏面に向けて緩やかに傾斜する第一傾斜部と、当該第一傾斜部に繋げて設けられ、前記遮蔽扉の外表面に略平行に形成されてなる平行部と、前記平行部に繋げて設けられ、前記遮蔽扉の一端側から他端側に向かい且つ前記遮蔽扉の裏面から外表面に向けて緩やかに傾斜する第二傾斜部と、を有することを特徴とする付記３に記載の記憶装置。
【００３４】
（付記５）  前記押込み力低減手段は、前記コントローラーに形成された係合部を含み、前記係合部は、前記第一傾斜部から前記平行部を経由して前記第二傾斜部まで前記凹部に沿って摺動することで、前記遮蔽扉を押し開けることを特徴とする付記４に記載の記憶装置。
【符号の説明】
【００３５】
１０：本体部
１２：収容部
１４：遮蔽扉
１４ａ：閉じた位置
１４ｂ：開いた位置
１４ｆ：外表面
１４ｒ：裏面
２０：電源
２４：遮蔽扉
２４ａ：開いた位置
２４ｂ：閉じた位置
３０：コントローラー
１０１：フロント側
１０２：リア側
１４１：凹部
１４１ｍ：第一傾斜部
１４１ｎ：平行部
１４１ｐ：第二傾斜部
１４２：軸
２４１：軸
３０１：係合部
３０２：突起部
ＲＤ：記憶装置
【図１】
0005207000.tif 000002
【図２】
0005207000.tif 000003
【図３】
0005207000.tif 000004
【図４】
0005207000.tif 000005
【図５】
0005207000.tif 000006
【図６】
0005207000.tif 000007
【図７】
0005207000.tif 000008
【図８】
0005207000.tif 000009
【図９】
0005207000.tif 000010
【図１０】
0005207000.tif 000011